(57)【要約】      （修正有）【課題】長期間に亘って結露の抑制を実現できる家屋を提供する。【解決手段】家屋１において、熱交換が可能な吸排気装置２１と、家屋１の外部から吸排気装置２１を介して家屋１の通気層５ａ３に連通するパイプ２２ａ，２２ｂと、通気層５ａ３から家屋１の屋根裏空間１５に連通する通気層と、屋根裏空間１５内から吸排気装置２１を介して家屋１の外部に連通するパイプ２２ｃと、を備え、吸排気装置２１は、屋根裏空間１５に配置され、家屋１の外部の空気をパイプ２２ａ，２２ｂに吸引し、屋根裏空間１５内の空気をパイプ２２ｃを介して屋内の外部に排出する。【選択図】図１
0003151347.tif 000002
【実用新案登録請求の範囲】
【請求項１】
家屋において、
熱交換が可能な吸排気装置と、
上記家屋の外部から上記吸排気装置を介して上記家屋の床下空間に連通する外気導入流路と、
上記床下空間から上記家屋の屋根裏空間に連通する壁体内の空気流路と、
上記屋根裏空間内から上記吸排気装置を介して上記家屋の外部に連通する屋根裏内空気排出流路と、
を備え、
上記吸排気装置は、上記屋根裏空間に配置され、上記家屋の外部の空気を上記外気導入流路に吸引し、上記屋根裏空間内の空気を上記屋根裏内空気排出流路を介して上記屋内の外部に排出する、
ことを特徴とする家屋。
【請求項２】
請求項１記載の家屋において、
太陽光発電装置を備え、
前記吸排気装置は、上記太陽光発電装置から供給される電力により駆動される、
ことを特徴とする家屋。
【請求項３】
請求項２記載の家屋において、
前記吸排気装置に供給する電力を、前記太陽光発電装置から供給される電力と商用電源から供給される電力とに切り替える駆動制御装置と、
を備えることを特徴とする家屋。
【請求項４】
請求項３記載の家屋において、
前記駆動制御装置は、前記吸排気装置に供給する電力を深夜電力供給時間帯においては、前記商用電源の深夜電力による電力に切り替える、
ことを特徴とする家屋。
【請求項５】
請求項４記載の家屋において、
前記駆動制御装置は、深夜電力供給時間帯外においては、前記吸排気装置の駆動を停止する、
ことを特徴とする家屋。
【請求項６】
請求項１から５のいずれか１項に記載の家屋において、
前記外気導入流路および前記屋根裏内空気排出流路は、軒が配置される外壁に家屋の外部に接続する開口部をそれぞれ有し、
上記各開口部は、上記外壁と上記軒との交差位置から、上記軒の先端と上記交差位置との間の距離だけ下がった位置よりも上方に配置されている、
ことを特徴とする家屋。
【考案の詳細な説明】
【技術分野】
【０００１】
本考案は、家屋に関する。
【背景技術】
【０００２】
従来から、結露防止面に送風装置からの風力を当てることにより、結露防止面に付着する水蒸気の物理的吸着を除去し結露を防止できるようにした結露防止方法が提案されている。具体的には、結露防止面に面して送風装置を設置し、送風装置により風力を発生させることにより、結露防止面に付着する水蒸気を強制的に除去して結露を防止する方法である（特許文献１）。
【先行技術文献】
【特許文献】
【０００３】
【特許文献１】特開平１０−２８６１５４号公報（要約書参照）
【考案の概要】
【考案が解決しようとする課題】
【０００４】
特許文献１記載の方法を家屋全体に対して行おうとすると、送風装置を屋外に多数設置する必要がある。すると、送風装置が雨露等に曝され、また温度変化の激しい環境に曝されることとなるため、送風装置が故障しやすくなる。そのため、長期間に亘って、家屋の結露を抑制することが難しいという問題がある。
【０００５】
そこで、本考案の目的は、長期間に亘って結露の抑制を実現できる家屋を提供することである。
【課題を解決するための手段】
【０００６】
上記目的を達成するため、本考案の家屋は、家屋において、熱交換が可能な吸排気装置と、家屋の外部から吸排気装置を介して家屋の床下空間に連通する外気導入流路と、床下空間から家屋の屋根裏空間に連通する壁体内の通気層と、屋根裏空間内から吸排気装置を介して家屋の外部に連通する屋根裏内空気排出流路と、を備え、吸排気装置は、屋根裏空間に配置され、家屋の外部の空気を外気導入流路に吸引し、屋根裏空間内の空気を屋根裏内空気排出流路を介して屋内の外部に排出する。
【０００７】
ここで、上述の家屋は、太陽光発電装置を備え、吸排気装置は、太陽光発電装置から供給される電力により駆動される、ことが好ましい。
【０００８】
さらに、上述の家屋は、吸排気装置に供給する電力を、太陽光発電装置から供給される電力と商用電源から供給される電力とに切り替える駆動制御装置と、を備えることが好ましい。
【０００９】
ここで、上述の駆動制御装置は、吸排気装置に供給する電力を深夜電力供給時間帯においては、商用電源の深夜電力による電力に切り替える、ことが好ましい。
【００１０】
さらに、上述の駆動制御装置は、深夜電力供給時間帯外においては、吸排気装置の駆動を停止する、ことが好ましい。
【００１１】
また、上述の家屋において、外気導入流路および屋根裏内空気排出流路は、軒が配置される外壁に家屋の外部に接続する開口部をそれぞれ有し、各開口部は、外壁と軒との交差位置から、軒の先端と該交差位置との間の距離だけ下がった位置よりも上方に配置されている、ことが好ましい。
【考案の効果】
【００１２】
本考案では、長期間に亘って結露の抑制を実現できる家屋を提供することができる。
【図面の簡単な説明】
【００１３】
【図１】本考案の実施の形態に係る家屋の縦断面における構成の概要を示す縦断面概要図である。
【図２】本考案の実施の形態に係る吸気口および排気口と軒との位置関係を示す図である。
【考案を実施するための形態】
【００１４】
以下、本考案の実施の形態に係る家屋１の構成について、図面を参照しながら説明する。
【００１５】
（家屋の構成）
図１は、本考案の実施の形態に係る家屋１の縦断面における構成の概要を示す縦断面概要図である。家屋１は、１階部分Ｆ１と２階部分Ｆ２を有する木造の２階建ての住宅である。家屋１は、土台２と、家屋１の外部（屋外）に面する壁体３、家屋１内を仕切る壁体４と、床材５ａ、５ｂと、天井材６ａ，６ｂと、屋根７を有している。
【００１６】
壁体３は、外壁体３ａおよび内壁体３ｂを有している。外壁体３ａと内壁体３ｂとは間隔を開けて配置され、外壁体３ａと内壁体３ｂとの間には、通気層３ｃが形成されている。また、床材５ａは、１階部分の床面を構成し、土台２との間には床下空間５ａ３が形成される。土台２は、例えば、コンクリートにより構成され、土台２の上面には、断熱材５ａ１が配置されている。なお、外壁体３ａと内壁体３ｂとの間に、断熱材（図示省略）が配置されることがあり、この場合には、断熱材と内壁体３ｂとの間に通気層３ｃが形成される。
【００１７】
家屋１は、天井材６ａおよび床材５ｂにより、１階部分Ｆ１と２階部分Ｆ２とに仕切られている。天井材６ａは、１階部分の天井面を構成し、床材５ｂは、２階部分の床面を構成する。天井材６ａと床材５ｂとの間には、天井裏空間５ｃが形成されている。また、天井材６ｂは、２階部分の天井面を構成し、天井材６ｂの上方には、屋根７との間に屋根裏空間（小屋裏空間）１５が形成されている。
【００１８】
ここで、家屋１においては、例えば、外壁体３ａと内壁体３ｂとの間に、上下方向に長手方向を向けて配置される間柱（図示省略）が横方向に一定の間隔を開けて複数配列されている。この間柱に対して外壁体３ａおよび内壁体３ｂが固定されることで、壁体３の補強が行われている。そして、隣接する間柱の間には、上下方向に空間が形成され、この空間が、通気層３ｃとして機能する。
【００１９】
壁体４は、２つの内壁体４ａ，４ａを有し、内壁体４ａと内壁体４ａとが間隔を開けて配置され、内壁体４ａと内壁体４ａとの間には、通気層４ｂが形成される。また、内壁体４ａと内壁体４ａとの間には、屋根裏空間１５から床裏空間５ｃに連通するパイプ２２ａ（外気導入流路の一部）が通されている。パイプ２２ａは、通気層４ｂの中に配置され、通気層４ｂはパイプ２２ａ以外の空間に形成されることになる。つまり、図１においては、パイプ２２ａを挟んで、紙面の手前側と奥側に通気層４ｂが形成されている。内壁体４ａと内壁体４ａとの間にも、上下方向に長手方向を向けて配置される間柱（図示省略）が横方向に一定の間隔を開けて複数配列され、この間柱に対して内壁体４ａおよび内壁体４ａが固定されることで、壁体４の補強が行われている。そして、隣接する間柱の間に上下方向に形成される空間が、通気層４ｂとして機能する。
【００２０】
通気層３ｃの下端部には、床下空間５ａ３に連通する開口部８ａが設けられている。また、通気層３ｃの上端部には、屋根裏空間１５に連通する開口部８ｂが設けられている。さらに、通気層４ｂの下端部にも床下空間５ａ３に連通する開口部（図示省略）が設けられている。そして、通気層４ｂの上端部にも屋根裏空間１５に連通する開口部（図示省略）が設けられている。つまり、床下空間５ａ３と屋根裏空間１５とは、通気層３ｃおよび通気層４ｂを介して連通している。
【００２１】
また、図１に示すように、家屋１は、空気を循環させる吸排気装置２１が屋根裏空間１５に設置されている。吸排気装置２１は、吸気側の空気と排気側の空気の間で熱交換を行うことができる熱交換可能な構成を有する。例えば、熱交換素子を互い違いに配列して積層して構成した熱交換器を備え、互いに違いに配列された一方の熱交換器に吸気側の空気を通し、他方の熱交換器に排気側の空気を通すことで、吸気側の空気と排気側の空気とで熱交換が行われる。熱交換素子としては、ロータリー式の熱交換素子を備えるものを用いてもよい。この吸排気装置２１には、パイプ２２ａ，２２ｂ，２２ｃ，２２ｄ，２２ｅ，２２ｆの各一方の端部が接続されている。パイプ２２ａは、屋根裏空間１５から壁体４の内部（通気層４ｂ）を通って床下空間５ａ３に到達し、他方の端部が床下空間５ａ３に配置されている。パイプ２２ｂ（外気導入流路の一部）の他方の端部は、壁体３に形成された吸気口２３（一方の開口部）に接続されている。パイプ２２ｃ（屋根裏内空気排出流路）の端部は、壁体３に形成された排気口２４（他方の開口部）に接続されている。パイプ２２ｄ，２２ｅ，２２ｆの他方の端部は、屋根裏空間１５内に配置されている。
【００２２】
図２は、吸気口２３と軒７ａとの位置関係、および排気口２４と軒７ａとの位置関係を示す図である。吸気口２３および排気口２４は、軒７ａが配置される壁体３に開口部を外部（屋外）に向けて形成されている。吸気口２３と排気口２４は、壁体３と軒７ａとの交差位置Ａから、軒７ａの先端７ａ１と交差位置Ａとの間の距離Ｂだけ下がった位置よりも上方に配置されている。また、吸気口２３の内部には、図示を省略する、高性能防塵フィルターが備えられている。
【００２３】
また、図１に示すように、家屋１は、屋根７の上に太陽光発電装置３１が設置されている。そして、電線３２によって、太陽光発電装置３１と駆動制御装置３３とが接続されている。また、電線３４によって、駆動制御装置３３と吸排気装置２１とが接続されている。駆動制御装置３３は、商用電源にも接続され、吸排気装置２１に供給する電力を、太陽光発電装置３１から供給される電力と、商用電源から供給される電力とのいずれか一方に切り替える機能を有する。駆動制御装置３３は、吸排気装置２１の駆動を制御する機能も有する。なお、図１においては、駆動制御装置３３は、家屋１の外部（外壁体３ａ）に設置されているが、室内に設けてもよい。太陽光発電装置３１から供給される電力によって吸排気装置２１を駆動する場合には、太陽光発電装置３１によって発電された電気は、電線３２、駆動制御装置３３、電線３４の順に経由して吸排気装置２１に供給される。商用電源から供給される電力によって吸排気装置２１を駆動する場合には、商用電源に通じるコンセント（図示省略）から供給される電気が、駆動制御装置３３、電線３４の順に経由して吸排気装置２１に供給される。
【００２４】
なお、太陽発電装置３１により発電された電力を蓄える蓄電池を備えてもよい。この場合には、電線３２は蓄電池にも接続される。そして、蓄電池に蓄えられた電力は、太陽発電装置３１により発電された電力として、吸排気装置２１に供給される。
【００２５】
（吸排気装置２１を駆動させたときの家屋１内で空気が循環する様子）
図１に示すブロック矢印は、吸排気装置２１を駆動させたときの家屋１内で循環する空気の進行方向を示している。
【００２６】
吸排気装置２１が駆動すると、まず、吸気口２３からパイプ２２ｂ内に屋外の空気（外気）が取り入れられ、この外気は、パイプ２２ａを介して床下空間５ａ３に送られる。すなわち、外気が、吸排気装置２１により、パイプ２２ｂおよびパイプ２２ａを介して床下空間５ａ３に吸気される。このように、パイプ２２ｂからパイプ２２ａに亘る空気の流路は、家屋１の外部から床下空間５ａ３に連通する外気導入流路として構成されている。そして、床下空間５ａ３に送られた外気は、通気層３ｃおよび通気層４ｂを通って屋根裏空間１５に流れる。すなわち、通気層３ｃおよび通気層４ｂは、床下空間５ａ３から屋根裏空間１５に連通する空気の流路として機能している。通気層３ｃおよび通気層４ｂから屋根裏空間１５に流れた外気は、吸排気装置２１により、パイプ２２ｄ，２２ｅ，２２ｆおよびパイプ２２ｃを介して排気口２４から家屋１の外部に排気される。つまり、パイプ２２ｄ，２２ｅ，２２ｆからパイプ２２ｃに亘る空気の流路は、屋根裏空間１５から家屋１の外部に連通する屋根裏空気排出流路として構成されている。
【００２７】
ところで、内壁体３ｂと内壁体４ａは、室内１６に接している。そのため、室内１６の気温が、通気層３ｃ内の気温よりも高い場合には、内壁体３ｂを介して室内１６の熱が伝わり通気層３ｃ内の空気が温められる。また、通気層４ｂについても同様に、室内１６の気温が、通気層４ｂ内の気温よりも高い場合には、内壁体４ａを介して室内１６の熱が伝わり通気層４ｂｃ内の空気が温められる。また、屋根裏空間１５内の空気についても、天井材６ｂを介して室内１６の熱が伝わり温められる。したがって、吸排気装置２１には、パイプ２２ｄ，２２ｅ，２２ｆから、家屋１の外部の気温よりも温かな空気が流れ込む。そして、吸排気装置２１において、パイプ２２ｄ，２２ｅ，２２ｆから流れ込む空気とパイプ２２ｂから吸気された外気との間で熱交換が行われる。その結果、パイプ２２ｂから吸引された外気は、吸排気装置２１により温められ、この温められた空気がパイプ２２ａを介して、床下空間５ａ３に送られる。したがって、通気層３ｃ、通気層４ｂおよび屋根裏空間１５にも外気よりも温かな空気が送られる。言い換えれば、吸排気装置２１の熱交換機能により、室内１６の気温との温度差が小さくされた空気が、床下空間５ａ３、通気層３ｃ、通気層４ｂおよび屋根裏空間１５に送られる。
【００２８】
（吸排気装置２１の駆動制御）
次に、吸排気装置２１の駆動制御について説明する。駆動制御装置３３は、例えば、マイクロコンピュータにより構成され、吸排気装置２１の駆動制御と、吸排気装置２１に供給する電力の電力源を、太陽発電装置３１と、商用電源とのいずれか一方に切り替える電源切替制御とを行うことができる。吸排気装置２１に供給する電力の電力源の切り替えのタイミングは、所定の時刻や所定の季節が到来したとき等にすることが考えられる。所定の時刻や所定の季節が到来したときの切り替えは、例えば、駆動制御装置３３にタイマー機能を備えることで実現することができる。
【００２９】
所定の時刻による切り替えとしては、例えば、太陽発電装置３１が、吸排気装置２１を駆動するのに必要な電力を発電することができる強さの日照を受けられる時間帯である高発電可能時間帯（例えば、朝１０：００から午後４：００までの時間帯）と、吸排気装置２１を駆動するのに必要な電力を発電することができる強さの日照を受けることができない時間帯である低発電時間帯（例えば、午後４：００から翌朝１０：００までの時間帯）とに設定することが考えられる。この設定の場合には、高発電時間帯については、吸排気装置２１の電力源を太陽発電装置３１に切り替え、低発電時間帯については、吸排気装置２１の電力源を商用電源に切り替える。
【００３０】
所定の時刻による切り替えとしては、他に、商用電源により深夜電力が供給される時間帯（深夜電力供給時間帯）と、この深夜電力供給時間帯以外の時間帯とに設定することが考えられる。この場合には、駆動制御装置３３は、深夜電力供給時間帯については、吸排気装置２１の電力源を深夜電力が供給される商用電源に切り替え、深夜電力供給時間帯以外の時間帯については、吸排気装置２１を停止する。
【００３１】
所定の季節による切り替えとしては、例えば、冬期間と、他の季節とに設定することが考えられる。この場合には、駆動制御装置３３は、冬期間については、吸排気装置２１を太陽発電装置３１または商用電源により駆動し、他の期間については、吸排気装置２１の駆動を停止する。また、駆動制御装置３３は、冬期間において、所定の時刻、例えば、深夜電力供給時間帯に、吸排気装置２１を商用電源により駆動するようにしてもよい。
【００３２】
（本考案の実施の形態によって得られる主な効果）
本実施の形態に係る家屋１は、吸排気装置２１が屋根裏空間１５に設置されているため、雨露等に曝されることはなく、また温度変化の激しい環境に曝されることもない。そのため、吸排気装置２１が故障し難く、長期間使用可能である。その結果、床下空間５ａ３、通気層３ｃ、通気層４ｂおよび屋根裏空間１５に外気を長期間に亘って送り続けることができ、床下空間５ａ３内、壁体３内、壁体４内あるいは屋根裏空間１５内等に在る家屋１の構造体（躯体）の結露を抑制することができる。そのため、木造の家屋１に発生しやすい白蟻と腐朽菌の発生を抑制できる。また、床下空間５ａ３、壁体３、壁体４そして屋根裏空間１５に空気が循環することで、ホルムアルデヒドの除去を促進することができる。
【００３３】
本実施の形態に係る家屋１は、熱交換可能な吸排気装置２１により、室内１６の気温との差を少なくした外気を床下空間５ａ３から通気層３ｃ，４ｂそして屋根裏空間１５に循環させることができる。その結果、例えば、冬期間のように、吸排気装置２１が吸気する外気の温度が室内１６の気温より著しく低い場合であっても、室内１６の熱損失を抑えて床下空間５ａ３内、壁体３内、壁体４内あるいは屋根裏空間１５内に外気を循環させることができる。また、循環する空気の温度が外気に比べて高いため、外気を加温することなく循環させる場合に比べて結露の防止や解消を効果的に行うことができる。
【００３４】
また、吸排気装置２１は、家屋１の中で一番高所に配置される空間である屋根裏空間１５に配置されている。つまり、床下空間５ａ３、通気層３ｃ，４ｂおよび屋根裏空間１５の中で一番高い位置に在る屋根裏空間１５は、これらの空間（床下空間５ａ３、通気層３ｃ，４ｂ、屋根裏空間１５）の中で一番気温が高い場所である。この温度の高い屋根裏空間１５内の空気がパイプ２２ｄ，２２ｅ，２２ｆから吸排気装置２１に取り込まれ、吸気口２３から吸気された外気との間で熱交換が行われる。そのため、吸気口２３から吸気された外気の温度を高くし易い。
【００３５】
また、吸排気装置２１は、屋根裏空間１５に設置されているため、屋根７の上に設置されている太陽光発電装置３１と比較的近い位置関係となっている。そのため、太陽光発電装置３１と吸排気装置２１との電気接続の作業負担を軽減することが可能である。
【００３６】
吸気口２３の内部には、図示を省略する高性能防塵フィルターが備えられている。そのため、ほこり等を取り除いたきれいな空気を家屋１に循環させることができる。そのため、花粉症およびアトピーの症状を改善できる場合がある。また、吸排気装置２１を長寿命化できる場合がある。
【００３７】
本実施の形態に係る家屋１は、太陽発電装置３１を備えている。そして、吸排気装置２１は、太陽発電装置３１から供給される電力により駆動可能となっている。そのため、吸排気装置２１を駆動するためのエネルギーコストを抑えることができる。つまり、小さなエネルギーコストで、家屋１の構造体の結露を抑制することができる。
【００３８】
本実施の形態に係る家屋１は、吸排気装置２１に供給する電力源を、太陽発電装置３１または商用電源とに切り換えることができる駆動制御装置３３を備えている。このため、高発電時間帯（太陽発電装置３１が、吸排気装置２１を駆動するのに必要な電力を発電することができる強さ日照を受けられる時間帯）は、太陽発電装置３１から供給される電力により吸排気装置２１を駆動し、低発電時間帯（太陽発電装置３１が、吸排気装置２１を駆動するのに必要な電力を発電することができる強さの日照を受けられない時間帯）については、商用電源から供給される電力により吸排気装置２１を駆動することが可能となる。この結果、常時、商用電源により吸排気装置２１を駆動する場合に比べて、吸排気装置２１を駆動するためのエネルギーコストを抑えることができる。また、発電不能時間帯であっても、商用電源により吸排気装置２１を駆動することができるため、吸排気装置２１の駆動時間を長時間に亘って行うことがでる。このため、家屋１の構造体の結露を効果的に抑制することができる。
【００３９】
また、吸排気装置２１の駆動を、冬期間については、吸排気装置２１を太陽発電装置３１または商用電源により駆動し、他の期間については、吸排気装置２１の駆動を停止することができる。このように、吸排気装置２１を、冬期間に運転することで、冬期間については、室内１６の熱損失を抑えることができる。他の期間については、運転を停止することで、太陽発電装置３１により発電された電力を、電力会社に販売することができる。
【００４０】
また、太陽発電装置３１により発電された電力を蓄える蓄電池を備える場合には、低発電時間帯に、蓄電池に蓄えられた電力により吸排気装置２１を駆動することができる。このため、吸排気装置２１を駆動するためのエネルギーコストを抑えることができる。なお、夜間は、一日の内で最も結露が発生し易い。そのため、夜間に吸排気装置２１を駆動することにより、家屋１の構造体の結露を効果的に抑制することができる。
【００４１】
本実施の形態に係る家屋１は、深夜電力供給時間帯において、吸排気装置２１に供給する電力源を深夜電力が供給される商用電源に切り換えることができる駆動制御装置３３を備えている。深夜電力供給時間帯に、深夜電力を使用して吸排気装置２１を駆動することで、吸排気装置２１を駆動するためのエネルギーコストを抑えることができる。
【００４２】
本実施の形態に係る家屋１には、深夜電力供給時間帯以外の時間帯において、吸排気装置２１の駆動を停止する制御を行うことができる駆動制御装置３３を備えている。これにより、太陽発電装置３１により発電された電力の吸排気装置２１による消費を停止することができる。この結果、太陽発電装置３１により発電された電力を、電力会社に販売することができる。例えば、売電価格が、深夜電力の価格よりも高価な場合は、吸排気装置２１を商用電源により駆動しながら、エネルギーコストをゼロとすることができる。
【００４３】
本実施の形態に係る家屋１は、吸気口２３および排気口２４は、軒７ａが配置される壁体３に開口部を外部（屋外）に向けて形成されている。そして、吸気口２３と排気口２４は、壁体３と軒７ａとの交差位置Ａから、軒７ａの先端７ａ１と交差位置Ａとの間の距離Ｂだけ下がった位置よりも上方に配置されている。かかる位置は、軒７により風雨が遮られ易い位置である。そのため、雨が降っている場合でも、雨を含まない外気を家屋１内へ循環させることができる。また、雪の多い地方に家屋１を建てた場合であっても、積もった雪が吸気口２３または排気口２４を塞いでしまうことがない。
【００４４】
（他の形態）
上述した本考案の実施の形態に係る家屋１は、本考案の好適な形態の一例ではあるが、これに限定されるものではなく本考案の要旨を変更しない範囲において種々の変形実施が可能である。例えば、本実施の形態に係る家屋１の駆動制御装置３３は、マイクロコンピュータにより構成した例を示したが、駆動制御装置３３を、人間が操作ボタン等を操作することで、電力源の切り替えや、吸排気装置２１の駆動の開始と停止を行うことができる構成としてもよい。また、家屋１を、木造として説明したが、鉄筋コンクリート等を用いたような家屋に本発明の実施の形態に係る空気の循環を行わせても良い。鉄筋部分の錆の発生を抑制することができる。また、天井材６ａと床材５ｂとの間に形成される天井裏空間５ｃに、通気層３ｃ、４ｂから空気を送り込むように構成してもよい。
【００４５】
駆動制御装置３３を、吸排気装置２１に電力を供給する電力源を、太陽発電装置３１および商用電源の両方とする制御も行うことができるように構成してもよい。このように駆動制御装置３３を構成することで、深夜電力供給時間帯以外の時間帯において、吸排気装置２１を太陽発電装置３１および商用電源の両方から供給される電力により駆動することができる。
【符号の説明】
【００４６】
１  家屋
３  壁体
３ｃ  通気層（壁体内の空気流路）
５ａ３  通気層（床下空間）
７ａ  軒
７ａ１  先端
１５  屋根裏空間
２１  吸排気装置
２２ａ，２２ｂ  パイプ（外気導入流路の一部）
２２ｃ  パイプ（屋根裏内空気排出流路）
２３  吸気口（開口部の一部）
２４  排気口（開口部の一部）
３１  太陽光発電装置
３３  駆動制御装置
Ａ  壁部分と軒との交差位置（外壁と軒との交差位置）
Ｂ  壁体と軒との交差位置から、軒の先端と交差位置との間の距離（軒の先端と交差位置との間の距離）
【図１】
0003151347.tif 000003
【図２】
0003151347.tif 000004